(57)【要約】【課題】使用済みの注射針を、廉価なコストで形成するとともに手に誤刺することなく廃棄できる歯科用注射針保持具を提供すること。【解決手段】保持具２０は、針押さえ部２２とフランジ部２３とで形成された本体部２１と、針押さえ部２２に連結されたマーカホルダ２６とを備えている。針押さえ部２２には、注射針１の内針先用キャップ６を保持する保持孔２４を形成する。保持具２０の保持孔２４に外針先用キャップ７を重ねた内針先用キャップ６の外周面を挿入して保持した状態で、注射針１の内針先４及び外針先５を、内針先用キャップ及び外針先用キャップ７に挿入して、注射針１に内針先用キャップ６及び外針先用キャップ７を装着する。内針先用キャップ６の端面は、内針先用キャップ６が保持孔２４に挿入した時点で、マーカ２７により印を形成する。この状態で注射針１を廃棄する。【選択図】図８
2010279441.tif 000002
【特許請求の範囲】
【請求項１】
内針先と外針先を有して両頭式針として形成された歯科用注射針を、誤刺しないで保持する歯科用注射針保持具であって、
手持ち部と針押さえ部とを備えた柄部と、前記柄部の一端に配設されて前記柄部より大径に形成されたフランジ部と、を備え、
前記柄部の針押さえ部には、内針先用キャップを保持する保持孔が形成され、前記針押さえ部は、前記保持孔に挿入された前記内針先用キャップを圧接するために、前記針押さえ部を手で変形させる程度の柔らかさを有する弾性状の部材で形成されていることを特徴とする歯科用注射針保持具。
【請求項２】
前記手持ち部が、マーカホルダとして形成され、前記内針先用キャップに印を付けるためのマーカを内蔵していることを特徴とする請求項１記載の歯科用注射針保持具。
【請求項３】
前記フランジ部は、ハート形又は花びら形に形成されていることを特徴とする請求項１又は２記載の歯科用注射針保持具。
【請求項４】
前記柄部の手持ち部は、前記針押さえ部より固い材料で形成されていることを特徴とする請求項１，２又は３のいずれかに記載の歯科用注射針保持具。
【発明の詳細な説明】
【技術分野】
【０００１】
本発明は歯科用注射針保持具に関し、さらに使用済みの注射針を人の手に誤刺することなく保持できる歯科用注射針保持具に関する。
【背景技術】
【０００２】
歯科用注射針は、局所麻酔を行うために口腔内に注射することに使用され、内針先と外針先をホルダの両側に突出させた両頭式針として形成されて、注射器のカートリッジホルダの先端にねじ締結により取付けられている。使用済みの歯科用注射針は、廃棄処分されることとなるものの、廃棄する際に、内針先又は外針先で人の手を刺すという事故が発生する可能性がある。
【０００３】
従来、この事故を防止するために、注射器から、注射針を安全に取り外しができる注射針の取り外し装置が特許文献１によって開示されていた。これによると、注射針取り外し装置は、使用済みの注射針を収容する収容容器に対して回転可能なハウジングを備えている。ハウジング内には、モータが配置されており、モータの駆動軸がギヤを介して収容容器に連結されている。回転するハウジングには注射針を把持するためのチャック爪を有するチャック装置が取付けられている。一方、チャック爪は、マイクロスイッチの起動により、ソレノイドに作動されて注射針を把持することになる。そのため、注射器を手で保持しながらハウジング内に挿入すると、ハウジングの回転により注射針を締結しているねじが解除されることになり、注射針は、注射器のカートリッジホルダから外れて、収容容器内に落下する。これにより注射針は廃棄される。
【先行技術文献】
【特許文献】
【０００４】
【特許文献１】再公表ＷＯ２００４／０７５８０６公報
【発明の概要】
【発明が解決しようとする課題】
【０００５】
特許文献１の注射針の取り外し装置は、注射針を注射器のカートリッジホルダから安全に取り外すものであり、収容容器に収容した使用済み注射針における廃棄処理については言及しているものではない。つまり、収容容器に廃棄された注射針を、廃棄場所に移動させる際に、注射針で人の手を刺してしまう虞があり、この点については何等解決しているものではない。収容容器に収容された注射針を、例えば、専用の廃棄用ケースにまとめて放り込むとすると、場合によっては、注射針で人の手を刺してしまう虞があり、また、使用済みの注射針を収容する収容容器を、主要容器ごと廃棄するのであれば、収容容器をたくさん用意しなければならず、効率が悪い。しかも、特許文献１に示されている注射針取り外し装置は、回転機構としてモータやギヤ等の部品や、マイクロスイッチあるいはソレノイド等を使用するために、複雑に構成されていてコストを高くしている。そのため、歯科医ではなかなか採用してもらうことができず、現実的ではなかった。このことから、簡単な構成でコストを高くすることなく注射針を注射器のカートリッジホルダから外し、注射針を人の手を刺すことなく廃棄できることが望まれていた。
【課題を解決するための手段】
【０００６】
本発明は、上述の課題を解決するものであり、簡単な構成で、人の手を刺すことがなく安全に廃棄できる注射針の保持具を提供することを目的とする。
【０００７】
そのため、本発明に係る注射針の保持具は、以下のように構成するものである。すなわち、
請求項１記載の発明は、内針先と外針先を有して両頭式針として形成された歯科用注射針を、誤刺しないで保持する歯科用注射針保持具であって、手持ち部と針押さえ部とを備えた柄部と、前記柄部の一端に配設されて前記柄部より大径に形成されたフランジ部と、を備え、前記柄部の針押さえ部には、内針先用キャップを保持する保持孔が形成され、前記針押さえ部は、前記保持孔に挿入された前記内針先用キャップを圧接するために、前記針押さえ部を手で変形させる程度の柔らかさを有する弾性状の部材で形成されていることを特徴とするものである。
【０００８】
請求項２記載の発明は、請求項１の発明に係るものであって、前記手持ち部が、マーカホルダとして形成され、前記内針先用キャップに印を付けるためのマーカを内蔵していることを特徴としている。
【０００９】
請求項３記載の発明は、請求項１又は２の発明に係るものであって、前記フランジ部は、ハート形又は花びら形に形成されていることを特徴としている。
【００１０】
請求項４記載の発明は、請求項１，２又は３のいずれかの発明に係るものであって、前記柄部の手持ち部は、前記針押さえ部より固い材料で形成されていることを特徴としている。
【発明の効果】
【００１１】
本発明の請求項１の構成によれば、歯科用注射針保持具は、注射針のキャップを挿入する保持孔が形成されているから、保持孔に、注射針から取外した内針先用キャップを、外針用キャップを外嵌した状態で挿入しておく。そして、使用済みの注射針を、保持孔に挿入した外針先用キャップに嵌め込む。注射針の一方の側に外針先用キャップを装着した後、保持孔に挿入した内針先用キャップを残して、一旦、注射針を保持孔から抜き取る。そして抜き取られた注射針を１８０度反対側に向けて、内針先を保持具に向かって配置する。保持具には手持ち部が配置されており、注射針を差し込む側には、柄部より大径のフランジ部を配設しているから、保持孔に挿入された内針先用キャップを押えるように柄部の針押さえ部を手で持ちながら、内針先を内針先用キャップに差し込む。この際、内針先を差し込む際、手持ち部はフランジ部で遮られているから、注射針で人の手を刺すという誤刺を防止することができる。
【００１２】
請求項２の構成によれば、手持ち部にマーカを内蔵しているため、内針先用キャップを保持具の保持孔に挿入することによって、内針先用キャップの先端部を、マーカで印をつけることができるから、内針先を差し込んだ注射針が、使用済みであることを一目で確認することができる。
【００１３】
また、請求項３の構成によれば、多くの場合、針を廃棄する人は女性の看護師であるから、フランジ部の形状が、例えば、ハート形や花びら形に形成していれば、例えば可愛らしさ、を表現できて注射針保持具を使いやすくすることができる。
【００１４】
さらに、請求項４の構成によれば、柄部の手持ち部が、針押さえ部より固い材料で形成されているから、柄部をしっかりと把持することができて、誤刺することなく確実に外針先あるいは内針先を外針先用キャップあるいは内針先用キャップに差し込むことができ、安全に注射針の廃棄を行うことができる。
【図面の簡単な説明】
【００１５】
【図１】歯科用注射針を示す正面図である。
【図２】注射針を注射器に挿入した状態を示す正面図である。
【図３】本発明による実施形態の注射針保持具を示す斜視図である。
【図４】同フランジ部を示す側面図である。
【図５】同断面図である。
【図６】ハート状のフランジ部を示す側面図である。
【図７】花びら状のフランジ部を示す側面図である。
【図８】別の実施形態の保持具を示す断面図である。
【図９】同一部分解斜視図である。
【図１０】使用済みの注射針を保持具で支持する状態を示す作用図１である。
【図１１】使用済みの注射針を保持具で支持する状態を示す作用図２である。
【図１２】使用済みの注射針を保持具で支持する状態を示す作用図３である。
【図１３】使用済みの注射針を保持具で支持する状態を示す作用図４である。
【図１４】使用済みの注射針を保持具で支持する状態を示す作用図５である。
【発明を実施するための形態】
【００１６】
次に、本発明における実施形態の歯科用注射針保持具（以下、単に保持具という）を図面に基づいて説明する。図１に示すように、通常、歯科用注射針（以下、単に注射針という）１は、ホルダ３に支持されてホルダ３内を挿通して構成されている。ホルダを挿通した注射針１は、ホルダ３から突出する長さの短い方を内針先４といい、ホルダ３から突出する長さの長い方を外針先５と呼んでいる。内針先４は、内針先用キャップ６でカバーされ、外針先５は外針先用キャップ７でカバーされる。また、注射針１を歯科医に手渡す際は、図２に示すように、外針先５を外側に突出させるように、内針先４を注射器９のカートリッジホルダ９ａに差し込んで手渡すこととなる。
【００１７】
本発明の保持具１０は、使用された注射針１を手に誤刺することなく取り外すものであり、図３〜５にその詳細を示す。図３は、保持具１０を示す斜視図であり、図４は側面図、図５は、断面を示すものである。保持具１０は、柄部１１とフランジ部１２とを備えて形成されている。柄部１１はフランジ部１２側が小径となるテーパ状に形成された手持ち部１３と、手持ち部１３からフランジ部１２側に連結する針押さえ部１４とを備えている。フランジ部１２は、薄板円板状に形成され、手持ち部１３より大径に形成されるとともに、手持ち部１３を把持した手を遮蔽する程度の大きさを有して形成されている。この保持具１０は、主に、女性の看護師が扱うために、例えば、図６に示すように、ハート形に形成してもよく、また、図７に示すように、花びら形で形成してもよい。また、カラフルに形成してもよい。
【００１８】
フランジ部１２と針押さえ部１４の内部には、内針先用キャップ６を収納可能な保持孔１５が、フランジ部１２の端面から、内方に向かって延設して形成されている。保持具１０の材料は、保持孔１５に挿入される内針先用キャップ６を手で把持できる程度の軟らかさを有していれば、特に、限定するものではないが、実施形態では、柄部１１とフランジ部１２共、軟質プラスチック材料、例えば、ポリプロピレンで一体的に形成されている。なお、手持ち部１３は、保持具１０を確実に把持するために、針押さえ部１４より硬質のポリプロピレンで形成してもよい。
【００１９】
図８〜９は、手持ち部にマーカを内蔵した別の形態の保持具２０を示すものであり、円筒状に形成された針押さえ部２２とフランジ部２３とを備える本体部２１と、本体部２１に連接する手持ち部としてのマーカホルダ部２５とを有して構成されている。針押さえ部２２は円筒状に形成され、内部に内針先用キャップ６を挿入可能な保持孔２４を形成している。フランジ部２３は、第１の形態のフランジ部１２と同じであり、中央に、内針先用キャップ６を挿入する挿入孔２３ａが保持孔２４に連接して形成されている。保持具２０を形成する材料としては、例えば、本体部２１は、軟質のポリプロピレンで形成され、マーカホルダ部２５は、硬質のポリプロピレンで形成されることが望ましいが、針押さえ部２２が、保持孔２４に挿入される内針先用キャップ６を手で把持できる程度の軟らかさを有していれば、特に限定するものではない。
【００２０】
マーカホルダ部２５は、マーカ２７を内蔵した円筒状のホルダ部２６を備えて構成され、ホルダ部２６の先端には、針押さえ部２２の先端に形成された雄ねじ部２２１に係合する雌ねじ部２８が形成されている。マーカ２７は、一般に市販されているものでよく、テーパ状に形成した先端のペン先部２７１が内針先用キャップ６に接触可能に配置されている。マーカ２７のペン先部２７１には、針押さえ部２２内に配置されたマーカ支持用のアタッチメント２９が装着され、マーカ２７をホルダ部２６内で支持している。また、マーカ２７の後部には、マーカ２７を本体部２１側に付勢するコイルばね３０が配置されている。
【００２１】
次に、上記のように構成された保持具２０の作用について説明する。なお、保持具１０は、マーカ２７を備えていないことから、使用済みの注射針１に使用済み印を付けることはできないが、使用済みの注射針１を廃棄する場合には、図１０〜１４に示すように、その作用は保持具２０を廃棄する場合と同様であるため、保持具２０を使用して作用説明をするものである。
【００２２】
まず、注射針１の納入業者が、注射器９に注射針１をセットして歯科医に渡す際は、図２に示すように、内針先用キャップ６を注射針１から外した状態で、内針先４を、注射器９のカートリッジホルダ９ａに挿入する。この際、外針先用キャップ７も外針先５から取外しておく。
【００２３】
歯科医は、患者に対して局所麻酔を行うために口腔内に注射し、使用済みの注射針１を看護師に渡すことになる。看護師は、使用済みの注射針１を廃棄する。この場合、保持具２０を用意して、内針先用キャップ６を、保持具２０の保持孔２４内に挿入し、内針先用キャップ６に外針先用キャップ７を、外針先５を挿入可能な状態で挿入しておく。次に、図１０に示すように、保持具２０に装着された外針先用キャップ７に、注射器９に取り付けられた外針先５を接近させて、挿入する。
【００２４】
次に、図１１に示すように、注射針１の外針先５を外針先用キャップ７に収納し、注射針１を注射器９から取外す。この状態では、保持具２０には、内針先用キャップ６に外針先用キャップ７が嵌入された状態で、外針先５が外針先用キャップ７内に挿入されている。つまり、内針先４が、外針先用キャップ７から外側に突出していることになる。
【００２５】
次に、図１２に示すように、内針先４が外針先用キャップ７から突出した状態で、外針先用キャップ７を、内針先用キャップ６から取り外し、図１３に示すように、逆に向ける。つまり、内針先４を内針先用キャップ６に向ける。外針先用キャップ７を内針先用キャップ６から取外す際、内針先用キャップ６を保持できるように、針押さえ部２２（又は１４）を手で押さえ、外針先用キャップ７だけを取外すようにする。
【００２６】
さらに、図１４に示すように、内針先４を、保持具２０に保持された内針先用キャップ６に挿入する。この状態で、保持具２０から内針先用キャップ６を取外せば、外針先用キャップ７と内針先用キャップ６を一体的に装着した注射針１を単独で手で持つことができる。そして、このまま、図示しない廃棄容器に廃棄することとなる。
【００２７】
なお、保持具２０を使用する場合には、内針先用キャップ６を保持具２０の保持孔２４に挿入した時点で、内針先用キャップ６の後端面に、マーカ２７のペン先部２７１が当接して、マーカ２７内に充填されている液体を内針先用キャップ６の後端面に付着させることとなり、印が付くことから、注射針１が使用済みであることを一目で確認することができる。
【００２８】
上述のように、実施形態の保持具では、注射針１をカバーする内針先用キャップ６又は外針先用キャップ７を、予め、保持具１０（又は２０）に装着した状態で、注射器９に装着された注射針１の内針先４を内針先用キャップ６に、又は、外針先５を外針先用キャップ７に収納するから、保持具１０（又は２０）を手で保持していても、大径のフランジ部１２（又は２３）で遮蔽されているから、内針先４又は外針先５を、手に刺すという誤刺を防止することができる。しかも、保持具１０（又は２０）は、軟質のプラスチック材料で形成された柄部１１（又は針押さえ部２２）及びフランジ部１２（又は２３）で構成されているから、コストも廉価にできるとともに、注射針１を保護する内針先用キャップ６又は外針先用キャップ７を保持孔１５（又は２４）に挿入するだけであるから、簡単な作用で、使用済みの注射針１を注射器９から取外すことができる。また、保持具２０では、マーカ２７を内蔵していることから、使用済みの注射針１に印を付けることができ、一目で使用済みの注射針１であることを認識することができ、確実に廃棄処理することができる。
【符号の説明】
【００２９】
１、注射針、
４、内針先
５、外針先
６、内針先用キャップ
７、外針先用キャップ
１０、保持具（歯科用注射針保持具）
１１、柄部
１２、フランジ部
１３、手持ち部
１４、針押さえ部
１５、保持孔
２０、保持具
２２、針押さえ部
２３、フランジ部
２４、保持孔
２５、マーカホルダ部
２７、マーカ
【図１】
2010279441.tif 000003
【図２】
2010279441.tif 000004
【図３】
2010279441.tif 000005
【図４】
2010279441.tif 000006
【図５】
2010279441.tif 000007
【図６】
2010279441.tif 000008
【図７】
2010279441.tif 000009
【図８】
2010279441.tif 000010
【図９】
2010279441.tif 000011
【図１０】
2010279441.tif 000012
【図１１】
2010279441.tif 000013
【図１２】
2010279441.tif 000014
【図１３】
2010279441.tif 000015
【図１４】
2010279441.tif 000016